(57)【要約】【課題】クギ曲げなどの不正行為を正確に検知する。【解決手段】パチンコ機１０では、電源オン時に、ＲＯＭ６４に記憶されたベース値が、各袖入賞口３１〜３４の入賞変数として設定されることで、各袖入賞口３１〜３４の入賞変数が初期化される。この後、４つの袖入賞口３１〜３４のいずれかで入賞が発生すると、入賞が発生した袖入賞口の入賞変数に、「１」が加算されて入賞変数が更新される。入賞により入賞変数が変更された後は、入賞した袖入賞口の入賞偏数が、全ての入賞口３１〜３４の入賞変数の平均値に対してどの程度へだたっているかを示す入賞偏差値が算出される。そして、入賞した袖入賞口の入賞偏差値が閾値を上回っている場合は、これが異常として検出され、報知される。【選択図】図４
2008167925.tif 000002
【特許請求の範囲】
【請求項１】
遊技盤面内に複数の入賞口が設けられ、前記入賞口に遊技球が入賞した際に入賞に応じた特典を遊技者に与えるパチンコ機において、
前記入賞口のうち任意の複数の特定入賞口毎に設定されたベース値に、対応する特定入賞口への入賞数を加算することにより、各特定入賞口毎の入賞変数を算出する入賞変数算出手段と、
入賞が発生した特定入賞口の入賞変数が、全ての特定入賞口の入賞変数の平均値からどの程度へだたっているかを示す入賞偏差値を算出する入賞偏差値算手段と、
前記入賞偏差値が所定の閾値を上回る場合に、これを異常として検出する異常検出手段とを備えたことを特徴とするパチンコ機。
【請求項２】
全ての特定入賞口の入賞変数の値をベース値にする初期化手段を備えたことを特徴とする請求項１記載のパチンコ機。
【請求項３】
前記特定入賞口は、可動部材の移動による形態変化が行われず、入賞難易度が固定された通常入賞口であることを特徴とする請求項１または２記載のパチンコ機。
【発明の詳細な説明】
【技術分野】
【０００１】
本発明は、パチンコ店などの遊技場に設置されるパチンコ機に関するものである。
【背景技術】
【０００２】
パチンコ機には、遊技球が打ち出される遊技領域に、流下する遊技球の流れに変化を与えるための遊技釘や、複数の入賞口が設けられている。そして、遊技球が入賞口に入賞すると、例えば、賞球が払い出されるなどの特典が遊技者に与えられる。このため、遊技者の中には遊技球が入賞口に入賞し易いように遊技釘を曲げるといった不正行為を行う者もいる。
【０００３】
このような不正行為による被害を防止するため、下記特許文献１には、複数の入賞口のいずれかにおいて、所定時間内の入賞数が許容入賞数を超える場合に異常として検出する装置が記載されている。
【特許文献１】特開２００３−３１０９９９
【発明の開示】
【発明が解決しようとする課題】
【０００４】
しかしながら、上記特許文献１記載の装置は、個々の入賞口毎に独立して許容入賞数を超えたか否かを調べているため、例えば、パチンコ店が客寄せのイベントなどの際に全ての入賞口で入賞数が増加するように（全ての入賞口に遊技球が入り易くするように）遊技釘の調節を行った場合、不正行為が行われていなくても異常が検出されてしまう場合がある。
【０００５】
また、上記特許文献１記載の装置は、所定時間経過後に許容入賞数を超えたか否かを調べている。このため、所定時間を長くする（例えば、数十分〜数時間）と不正行為の発覚が遅れてしまうので、所定時間を短くする（例えば、数秒〜数十秒）必要がある。しかし、こうすると、一時的（例えば、数秒〜十数秒）に入賞口のいずれかに入賞が集中した際に、不正行為が行われていなくても異常が検出されてしまう場合がある。
【０００６】
このように、上記特許文献１記載の装置では、不正行為を正確に検出できるとはいい難い。本発明は、上記背景を鑑みてなされたものであり、不正行為を正確に検出できるパチンコ機を提供することを目的としている。
【課題を解決するための手段】
【０００７】
上記目的を達成するために、本発明のパチンコ機は、遊技盤面内に複数の入賞口が設けられ、前記入賞口に遊技球が入賞した際に入賞に応じた特典を遊技者に与えるパチンコ機において、前記入賞口のうち任意の複数の特定入賞口毎に設定されたベース値に、対応する特定入賞口への入賞数を加算することにより、各特定入賞口毎の入賞変数を算出する入賞変数算出手段と、入賞が発生した特定入賞口の入賞変数が、全ての特定入賞口の入賞変数の平均値からどの程度へだたっているかを示す入賞偏差値を算出する入賞偏差値算手段と、前記入賞偏差値が所定の閾値を上回る場合に、これを異常として検出する異常検出手段とを備えたことを特徴としている。
【０００８】
全ての特定入賞口の入賞変数の値をベース値にする初期化手段を備えていることが好ましい。また、前記特定入賞口は、可動部材の移動による形態変化が行われず、入賞難易度が固定された通常入賞口であることが好ましい。
【発明の効果】
【０００９】
本発明は、異常検出対象となる複数の入賞口毎に、入賞数に対応した入賞変数を算出し、各入賞口間の入賞変数の偏りを示す入賞偏差値に基づいて異常を検出するようにした。このため、パチンコ店側が遊技釘の調整を行い、全ての入賞口に入賞し易くしたときには、入賞変数の偏りが小さいので、異常が検出されない。他方、クギ曲げなどの不正行為が行われると、１つもしくは２つの入賞口に入賞が集中し、入賞変数の偏りが大きくなるので、異常が検出される。
【００１０】
また、本発明は、入賞発生毎に、この入賞発生まで累積加算された入賞変数に基づいて異常を検出するので、長い時間（例えば、数十分〜数時間）累積加算された入賞変数に基づいて異常を検出できる。このため、一時的（例えば、数秒〜十数秒）に入賞口のいずれかに入賞が集中しても入賞変数の偏りが小さいので、異常が検出されない。他方、クギ曲げなどの不正行為が行われると、これ以降継続して１つもしくは２つの入賞口に入賞が集中し、入賞変数の偏りが大きくなるので、異常が検出される。
【００１１】
さらに、入賞変数は、各入賞口に設定されたベース値に、対応する入賞口への入賞数を加算したものである。このため、入賞偏差値の算出開始からあまり時間が経過しておらず、例えば、１つの入賞口に１回入賞して、他の入賞口では入賞が無い場合であっても、各入賞口の入賞変数の差が小さいので、異常が検出されない。
【００１２】
このように、クギ曲げなどの不正行為が行われた際には異常が検出され、パチンコ店側が遊技釘の調整を行った場合や一時的な連続入賞では異常が検出されない。また、入賞偏差値算出開始からあまり時間が経過していない状態で入賞が発生しても異常が検出されない。このため、本発明によれば、不正行為を正確に検出することができる。特に、クギ曲げなどの不正行為により入賞数が増加する入賞口は１つもしくは２つに限られる場合が殆どであるため、このような異常の検出方法は効果的である。
【発明を実施するための最良の形態】
【００１３】
図１、図２において、パチンコ機１０は、本体１２の前面に上扉１４と下扉１６とが開閉自在に取り付けられている。上扉１４にはスピーカ１７が設けられている他、ガラス１８が組み込まれており、その奥側に設けられた遊技盤２０が視認可能となっている。下扉１６には受け皿２２が設けられており、賞球は受け皿２２に払い出される。また、下扉１６には受け皿２２の下方に発射ハンドル２３が取り付けられており、遊技者が発射ハンドル２３を操作することで遊技盤２０の下方に設けられた発射装置２４が駆動され、遊技盤２０の前面に形成された遊技領域２６に遊技球が発射される。
【００１４】
遊技領域２６には流下する遊技球の動きに変化を与える遊技釘（図示せず）や、袖入賞口（特定入賞口）３１、３２、３３、３４、始動入賞口３５、スルーチャッカ３６、３７、大入賞口３８などの入賞口、並びに、役物３９が設けられている。袖入賞口３１〜３４、始動入賞口３５、スルーチャッカ３６、３７、大入賞口３８には、入賞検知センサ４１〜４８（図３参照）が接続され、これらへの入賞が検知されるようになっている。
【００１５】
袖入賞口３１〜３４に遊技球が入賞すると、払い出し装置４９（図３参照）が駆動され、予め決められた個数の遊技球（例えば、１０個）が賞球として払い出される。始動入賞口３５に遊技球が入賞すると、賞球の払い出しに加え、当たり又はハズレを決定する当たり抽選が行われる。また、始動入賞口３５は、開閉自在に設けられた可動片（可動部材）３５ａ、３５ｂを備えており、可動片３５ａ、３５ｂが開放されると入賞しやすくなる。そして、可動片３５ａ、３５ｂは、スルーチャッカ３６、３７に遊技球が入賞した際に行われる開放抽選に当選した場合に開放される。大入賞口３８は、アタッカ（可動部材）５０により開閉される。アタッカ５０は、前述した当たり抽選に当選した際に開放される。
【００１６】
役物３９には、液晶ディスプレイ５２が設けられ、この液晶ディスプレイ５２には、当たり抽選の結果が表示される。液晶ディスプレイ５２には、始動入賞口３５に遊技球が入賞すると、例えば１列が０〜９の数字からなる３列の図柄の変動表示が開始され、図柄が上から下へスクロールする。図柄は１列ずつ順次停止し、全ての図柄が停止したときに同一図柄が揃っていると当たりとなり、それ以外ではハズレとなる。図柄の変動表示は複数種類の変動パターンから抽選で決定された変動パターンで行われる。変動パターンはその種類に応じて当たり期待度が異なっている。
【００１７】
当たりに当選すると当たりモードに移行し、アタッカ５２が開放される。アタッカ５２が開放されるとその内面で遊技球の大半が大入賞口３８に案内され、多数の賞球を得ることができる。アタッカ５２は大入賞口３８に所定個数（例えば１０個）の遊技球が入賞するか又は開放時間が、例えば３０秒になると閉じられ、これにより第１ラウンドが終了する。当たりモードではアタッカ５２の開閉が繰り返されて第１５ラウンドで終了する。
【００１８】
図３に示すように、パチンコ機１０の本体１２内には制御基盤６０が設けられている。制御基盤６０には、パチンコ機１０の各部を統括的に制御するＣＰＵ６２や、各種プログラム、並びに、後述する入賞変数のベース値、異常検出用の閾値などの各種設定情報を記憶したＲＯＭ６４が設けられている。ＣＰＵ６２は、パチンコ機１０の各部に接続されており、ＲＯＭ６４に格納されたプログラムや設定情報を作業用メモリ６６に読み出して、接続された各部を駆動制御する。
【００１９】
また、ＣＰＵ６２には、前述した作業用メモリ６６に加え、入賞変数記録部（入賞変数算出手段、初期化手段）７０、入賞偏差値算出部（入賞偏差値算出手段）７２、異常検出部（異常検出手段）７４、異常報知部７６が設けられている。
【００２０】
入賞変数記録部７０は、各袖入賞口３１〜３４それぞれの入賞数に応じて変動する入賞変数を算出し、これを作業用メモリ６６に記録する。ＲＯＭ６４には、入賞変数のベース値として、各袖入賞口３１〜３４に共通の値（例えば、「１０」）が記憶されており、入賞変数記録部７０は、パチンコ機１０の電源がオンされた際に、このベース値を各袖入賞口３１〜３４の入賞変数として作業用メモリ６６に記録することで各袖入賞口３１〜３４の入賞変数を初期化する。この後、入賞変数記録部７０は、入賞が発生する毎に、入賞が発生した袖入賞口の入賞変数に、「１」を加算することによって作業用メモリ６６の内容を更新する。
【００２１】
入賞偏差値算出部７２は、入賞が発生する毎に、入賞が発生した袖入賞口の入賞変数が、全ての袖入賞口３１〜３４への入賞変数の平均値に対してどの程度へだたっているかを示す入賞偏差値を算出する。
【００２２】
入賞が発生した袖入賞口の入賞偏差値Ｔａ  は、袖入賞口の個数（本実施形態では４個）をｎ、各袖入賞口の入賞変数をｘ１  、ｘ２  、・・・、ｘｎ  、各袖入賞口の入賞変数の平均値［ｘ１  ＋ｘ２  ＋・・・＋ｘｎ  ／ｎ］をＸ、標準偏差［（（（ｘ１  −Ｘ）２  ＋（ｘ２  −Ｘ）２    ＋・・・＋（ｘｎ  −Ｘ）２  ）／ｎ）１／２］をＣ、入賞が発生した袖入賞口の入賞変数をｘａ  としたときに、下式で求めることができる。
入賞偏差値：Ｔａ  ＝１０（ｘａ  −Ｘ）／Ｃ＋５０
【００２３】
異常検出部７４は、上記のように算出された入賞偏差値Ｔａ  を、ＲＯＭ６４に記憶された異常検出用の閾値と比較して、入賞偏差値Ｔａ  が閾値を上回っている場合、これを異常として検出する。閾値は、袖入賞口のいずれかに一時的に（数秒〜十数秒程度）入賞が集中しても異常が検知されず、クギ曲げなどの不正行為が行われ、袖入賞口のいずれかにある程度の時間（数分〜十数分程度）継続して入賞が集中した場合に異常が検知されるようにその値が調整されている。異常報知部７６は、異常検出部７４が異常を検出した際に、この旨を報知する報知音をスピーカ１７から発生させる。
【００２４】
以下、上記構成による本発明の作用について、図４に示すフローチャートをもとに説明する。パチンコ機１０では、電源オン時に、各袖入賞口３１〜３４の入賞変数が初期化されベース値にされる。この後、ゲームが行われ、４つの袖入賞口３１〜３４のいずれかで入賞が発生すると、入賞が発生した袖入賞口の入賞変数に、「１」が加算されて入賞変数が更新される。入賞により入賞変数が変更された後は、全ての袖入賞口３１〜３４の入賞変数に基づいて、入賞した袖入賞口の入賞偏差値Ｔａ  が算出される。そして、算出した入賞偏差値Ｔａ  が閾値を上回っている場合は、これが異常として検出され、報知される。
【００２５】
このように、パチンコ機１０では、入賞偏差値に基づいて異常を検出するので、例えば、パチンコ店側が遊技釘の調整を行って全ての袖入賞口で入賞数が上がっている場合などは異常とならない。また、パチンコ機１０では、入賞偏差値を算出するために用いられる入賞変数が電源オン時から累積的に加算されたものであるので、一時的にいずれかの袖入賞口に入賞が集中しても異常とならない。そして、クギ曲げなどの不正行為が行われ、この不正行為以降、継続して袖入賞口のいずれかへ入賞が集中した場合には、これが異常として検出される。このため、不正を正確に検知できる。さらに、入賞変数の累積加算時間が長くなりすぎると入賞変数の値が大きくなり、不正が行われても入賞偏差値に変化が現れにくいといった問題があるが、電源オン時に入賞変数を初期化するのでこのような問題も無い。
【００２６】
なお、本発明は、入賞口の中の任意の複数の特定入賞口間の入賞数の偏りに基づいて異常を検知すればよいので、上記実施形態のように、特定入賞口が４つの袖入賞口である例に限定されず、例えば、２つの袖入賞口を特定入賞口とし、これらの間の入賞数の偏りから異常を検知してもよい。また、例えば、２つスルーチャッカを特定入賞口とし、これらの間の入賞数の偏りから異常を検知してもよい。さらには、２つの袖入賞口と２つのスルーチャッカ間の入賞数の偏りから異常を検知するといったことも考えられる。もちろん全ての入賞口を特定入賞口とし、これらの間の入賞数の偏りから異常を検知してもよい。
【００２７】
ただし、入賞口の中には、始動入賞口、大入賞口などのように、可動片やアタッカなどの可動部材を備え、可動部材の移動により入賞難易度が変化するものと、袖入賞口、スルーチャッカなどのように、可動部材を備えず入賞難易度が固定された通常入賞口とが存在する。そして、入賞難易度が変化する入賞口を特定入賞口とすると、不正行為が行われていなくても、特定入賞口間で入賞数が偏ってしまい、異常が検出されてしまう場合がある。このため、特定入賞口は通用入賞口であることが好ましい。
【００２８】
また、上記実施形態では、入賞変数のベース値や異常検出用の閾値が各特定入賞口に共通である例で説明をしたが本発明はこれに限定されるものではない。不正が行われず、通常通りにゲームを行っても、パチンコ機の仕様（遊技釘、特定入賞口の配置パターンなど）や、パチンコ機の個体差によって、特定入賞口間で入賞数が偏る場合がある。このような場合は、通常通りのゲームを行ったときの特定入賞口間の入賞数の偏りを試験等により予め求めておき、求めた偏りを補正するように入賞変数のベース値や異常検出用の閾値を特定入賞口毎に異ならせてもよい。こうすれば、より正確に異常を検出できる。さらに、異常検出用の閾値の値を、時間の経過に応じて大きくなるようにして、一時的な連続入賞による入賞偏差値の変化が異常として検出されないようにしてもよい。
【００２９】
また、上記実施形態では、電源オン時に入賞変数が初期化される例で説明をしたが、初期化のタイミングは自由に設定できる。例えば、所定時間経過毎に初期化したり、当たり発生毎に初期化してもよい。さらに、リセットボタンの押下など、所定の操作により初期化するといったことも考えられる。また、作業用メモリとして電源オフ時に自動的に記憶内容が消去される揮発性のメモリ（例えば、ＲＡＭ）を用いることで、電源オフ時に自動的に入賞変数が初期化されるように構成してもよい。
【００３０】
さらに、上記実施形態では、ベース値に入賞数を加算したものを入賞変数として用いる例で説明をしたが、本発明はこれに限定されるものではない。各特定入賞口毎のベース値に、対応する特定入賞口への入賞により払い出された賞球数を加算したものを入賞変数として用いてもよい。なお、このように、ベース値に賞球数を加算したものを入賞変数として用いる場合、入賞時に払い出される賞球数が各特定入賞口間で異なると、正確な異常検知ができなくなる恐れがある。このため、このような場合は、賞球数をそのまま加算せずに、賞球数に、入賞時に払い出される賞球数に応じた補正係数をかけたものを入賞変数に加算することが好ましい。
【００３１】
また、上記実施形態では、異常を検知した際に、スピーカから報知音を発生させることにより報知する例で説明をしたが、本発明はこれに限定されるものではない。例えば、液晶ディスプレイに異常を検知した旨のメッセージを表示してもよい。また、複数のパチンコ機が接続され、各パチンコ機の状態を監視するためのホールコンピュータに異常を検知した際に信号を送るといったことも考えられる。
【図面の簡単な説明】
【００３２】
【図１】パチンコ機の外観図である。
【図２】パチンコ機の上扉と下扉を開放した状態を示す外観図である。
【図３】パチンコ機の構成を示す構成図である。
【図４】入賞偏差値に基づく異常の検知及び報知の手順を示すフローチャートである。
【符号の説明】
【００３３】
１０  パチンコ機
１７  スピーカ
２０  遊技盤
３１、３２、３３、３４  袖入賞口（特定入賞口）
３５  始動入賞口（入賞口）
３５ａ、３５ｂ  可動片（可動部材）
３６、３７  スルーチャッカ（入賞口）
３８  大入賞口（入賞口）
４１、４２、４３、４４、４５、４６、４７、４８  入賞センサ
４９  払い出し装置
５０  アタッカ（可動部材）
６０  制御基板
６２  ＣＰＵ
６４  ＲＯＭ
６６  作業用メモリ
７０  入賞変数記録部（入賞変数算出手段、初期化手段）
７２  入賞偏差値算出部（入賞偏差値算出手段）
７４  異常検出部（異常検出手段）
７６  異常報知部
【図１】
2008167925.tif 000003
【図２】
2008167925.tif 000004
【図３】
2008167925.tif 000005
【図４】
2008167925.tif 000006